(57)【要約】【課題】使用が便利でありながらも見栄えを良くすることができるリッドアセンブリを備えた洗濯物処理機器を実現する。【解決手段】本発明に係る洗濯物処理機器は、リッドアセンブリの前方に、前方及び上方に突出して形成されたリッドハンドルが備えられ、該リッドハンドルとコントロールパネルとの間に離隔空間が形成されているため、使用者が前記リッドハンドルを手に持って上げたり、使用者が指を前記離隔空間に挿入して前記リッドハンドルを持ち上げることが容易であり、使い勝手のよさを向上させることができる。また、本発明に係るリッドハンドルは、前記リッドアセンブリの前面において左右幅方向に長く形成されているため、使用者が持ちやすく、且つ見栄えをよくすることができる。また、漏れ防止部が離隔空間に配置されているため、内部の水分や熱気が外部に漏れることを防止することができる。【選択図】図４
2014083449.tif 000002
【特許請求の範囲】
【請求項１】
キャビネットの上面に配置され、布出入口が形成されたトップカバーと、
前記トップカバーの上側前方に設けられたコントロールパネルと、
前記トップカバーの上側において前記コントロールパネルよりも後方に設けられ、前記布出入口を開閉するリッドアセンブリと、
前記リッドアセンブリの前面から前方に突出しており、前記リッドアセンブリの上面よりも上方に突出して前記コントロールパネルとの間に使用者の手が入るように離隔空間を形成するリッドハンドルと、
を備えている、洗濯物処理機器。
【請求項２】
前記リッドハンドルは、前記リッドアセンブリの前方において前記リッドアセンブリの上面を基準にして上方に傾斜して形成されている、請求項１に記載の洗濯物処理機器。
【請求項３】
前記リッドハンドルは、断面が変曲点を有する曲線形状をしている、請求項１に記載の洗濯物処理機器。
【請求項４】
前記リッドハンドルは、前記リッドアセンブリの左右幅方向に沿って長く形成されており、左、右側から中央側に向かうほど、前方に向く突出長さが増加するように湾曲している、請求項１に記載の洗濯物処理機器。
【請求項５】
前記リッドハンドルは、前記リッドアセンブリの前方下部に挟み込まれるように下方に段差を持って形成された段差部を備えている、請求項１に記載の洗濯物処理機器。
【請求項６】
前記リッドハンドルは、前記リッドアセンブリの前方下部にフック結合するフック結合部を備えている、請求項１または５に記載の洗濯物処理機器。
【請求項７】
前記フック結合部は、下方に突出したリブと、該リブから後方に突出して形成されたフックと、を備えており、
前記リッドアセンブリの下部には、前記フックと結合するフックホールが形成されている、請求項６に記載の洗濯物処理機器。
【請求項８】
前記離隔空間に配置されて、前記布出入口からの水分や熱気の漏れを防止する漏れ防止部をさらに備えている、請求項１に記載の洗濯物処理機器。
【請求項９】
前記漏れ防止部は、前記リッドアセンブリの下部から延びて形成されている、請求項８に記載の洗濯物処理機器。
【請求項１０】
前記リッドアセンブリは、上側外観を形成するリッド上部パネルと、該リッド上部パネルの下側に結合されて下側外観を形成するリッド下部パネルと、を備えており、
前記漏れ防止部は、前記リッド下部パネルから前方に向かって突出形成された漏れ防止リブを備えている、請求項８に記載の洗濯物処理機器。
【請求項１１】
前記リッドハンドルは、前記リッド上部パネルの下部に挟み込まれるように下方に段差を持って形成された段差部と、前記リッド下部パネルにフック結合するフックと、を備えている、請求項１０に記載の洗濯物処理機器。
【発明の詳細な説明】
【技術分野】
【０００１】
本発明は、洗濯物処理機器に係り、特に、使い勝手及び見栄えを良くすることができるリッドアセンブリを備えた洗濯物処理機器に関する。
【背景技術】
【０００２】
一般に、洗濯物処理機器とは、水、洗剤及び機械的な作用などを用いて衣服、寝具など（以下、「布」という。）についた汚れを落とす洗濯機、ヒーターにより加熱された乾燥熱風と機械的な作用などを用いて濡れた布を乾燥させる乾燥機、洗濯機能と乾燥機能を兼ねている乾燥兼用洗濯機、及び加熱された蒸気などを布に吹き付け、布によるアレルギーを防止するリフレッシャーなどを含め、布に物理的作用及び化学的作用を加えて布を処理する各種装置のことをいう。
【０００３】
かかる洗濯物処理機器は、布が出入する布出入口の位置によって区別されることもある。布出入口がキャビネットの上面に設けられており、洗濯槽の回転時に発生する回転水流により洗濯が行われるトップロードタイプと、布出入口がキャビネットの前面に設けられており、ドラムの回転時に布の落差により洗濯が行われるドラムタイプとに区別可能である。トップロードタイプの洗濯物処理機器は、布出入口がキャビネットの上面に設けられており、そのキャビネットの上側には布出入口を開閉するリッドアセンブリが配置されている。
【発明の概要】
【発明が解決しようとする課題】
【０００４】
本発明の効果は、添付した特許請求の範囲の開示から、当該分野における通常の知識を有する者には明らかに理解されるであろう。
【０００５】
本発明の目的は、使用が便利でありながらも見栄えを良くすることができるリッドアセンブリを備えた洗濯物処理機器を提供することにある。
【課題を解決するための手段】
【０００６】
本発明に係る洗濯物処理機器は、キャビネットの上面に配置され、布出入口が形成されたトップカバーと、該トップカバーの上側前方に設けられたコントロールパネルと、前記トップカバーの上側において前記コントロールパネルよりも後方に設けられ、前記布出入口を開閉するリッドアセンブリと、前記リッドアセンブリの前面から前方に突出しており、前記リッドアセンブリの上面よりも上方に突出して前記コントロールパネルとの間に使用者の手が入るように離隔空間を形成するリッドハンドルと、を備えている。
【０００７】
前記リッドハンドルは、前記リッドアセンブリの前方において前記リッドアセンブリの上面を基準にして上方に傾斜して形成されていてもよい。
【０００８】
前記リッドハンドルは、断面が変曲点を有する曲線形状をしていてもよい。
【０００９】
前記リッドハンドルは、前記リッドアセンブリの左右幅方向に沿って長く形成されており、左、右側から中央側に向かうほど、前方に向く突出長さが増加するように湾曲していてもよい。
【００１０】
前記リッドハンドルは、前記リッドアセンブリの前方下部に挟み込まれるように、下方に段差を持って形成された段差部を備えていてもよい。
【００１１】
前記リッドハンドルは、前記リッドアセンブリの前方下部にフック結合するフック結合部を備えていてもよい。前記フック結合部は、下方に突出したリブと、該リブから後方に突出して形成されたフックと、を備えており、前記リッドアセンブリの下部には、前記フックと結合するフックホールが形成されていてもよい。
【００１２】
前記洗濯物処理機器は、前記離隔空間に配置されて、前記布出入口からの水分や熱気の漏れを防止する漏れ防止部をさらに備えていてもよい。
【００１３】
前記漏れ防止部は、前記リッドアセンブリの下部から延びて形成されていてもよい。
【００１４】
前記リッドアセンブリは、上側外観を形成するリッド上部パネルと、該リッド上部パネルの下側に結合されて下側外観を形成するリッド下部パネルと、を備えており、前記漏れ防止部は、前記リッド下部パネルから前方に向かって突出形成された漏れ防止リブを備えていてもよい。前記リッドハンドルは、前記リッド上部パネルの下部に挟み込まれるように、下方に段差を持って形成された段差部と、前記リッド下部パネルにフック結合するフックと、を備えていてもよい。
【発明の効果】
【００１５】
本発明に係る洗濯物処理機器によれば、リッドアセンブリの前方に、前方及び上方に突出して形成されたリッドハンドルが設けられており、このリッドハンドルとコントロールパネルとの間に離隔空間が形成されているため、使用者がリッドハンドルを手に持って上げたり、使用者が指を離隔空間に挿入してリッドハンドルを持ち上げたりすることが容易であり、使い勝手のよさを向上させることが可能になる。
【００１６】
また、本発明によれば、リッドハンドルが、リッドアセンブリの前面に左右幅方向に沿って長く形成されているため、使用者が手に取りやすい他、見栄えも良くすることができる。
【００１７】
また、本発明によれば、漏れ防止部が離隔空間に配置されているため、内部の水分や熱気が外部に漏れることを防止することができる。
【図面の簡単な説明】
【００１８】
実施例の説明に参照され、且つ類似の構成要素には類似の参照番号が付される図面は、下記の通りである。
【図１】本発明の実施例に係る洗濯機の上面を示す平面図である。
【図２】図１に示したトップカバーとリッドアセンブリの分解斜視図である。
【図３】図２に示したトップカバーとリッドアセンブリの側面図である。
【図４】本発明の実施例に係るリッドハンドルの断面図である。
【発明を実施するための形態】
【００１９】
本発明の利点及び特徴とこれらを達成する方法は、添付の図面を併用して以下に詳しく説明される実施例から明らかになるであろう。しかし、これらの実施例は、様々な形態で実施されてもよく、ここに説明される例示的な実施例に限定されるものではない。むしろ、これらの実施例は、本開示が綿密且つ完全であるように、且つ本発明の範囲を当業者に完全に伝えるように提供される。本発明の範囲は、特許請求の範囲により定められるべきである。図面中、可能な限り、同一又は類似の構成要素には同一の参照番号を使用するものとする。
【００２０】
以下、本発明の実施例に係る洗濯物処理機器（以下、「洗濯機」という。）を、添付の図面を参照しつつ詳細に説明する。
【００２１】
図１は、本発明の実施例に係る洗濯機の上面を示す平面図である。図２は、図１に示したトップカバーとリッドアセンブリの分解斜視図である。図３は、図２に示したトップカバーとリッドアセンブリの側面図である。
【００２２】
図１を参照すると、洗濯物処理機器は、キャビネット（図示せず）、トップカバー１０、後方パネル２０、コントロールパネル３０、リッドアセンブリ４０及びリッドハンドル６０を備えている。
【００２３】
トップカバー１０は、キャビネット（図示せず）の開口した上面に配置され、布出入口１０ａが形成されている。トップカバー１０には、洗剤が収容される洗剤ボックス（図示せず）と、外部から供給される水を洗剤ボックスに案内する給水装置（図示せず）と、洗濯機の作動を制御するためのコントロール基板３４などが設けられている。トップカバー１０の上側前方には、コントロール基板３４が装着される装着部１２が設けられている。また、トップカバー１０には、リッドアセンブリ４０をロックするリッドロックアセンブリ７０が設けられている。トップカバー１０の上面は、コントロールパネル３０、リッドアセンブリ４０及び後方パネル２０で覆われるようになる。
【００２４】
コントロールパネル３０は、トップカバー１０の上側前方に設けられている。コントロールパネル３０は、装着部１２に装着されているコントロール基板３４の上部を覆う。コントロールパネル３０には、洗濯機の動作を設定するための複数の機能ボタンと、洗濯機の状態を知らせる表示部などが設けられている。
【００２５】
後方パネル２０は、トップカバー１０の上側後方に設けられており、給水装置（図示せず）などの上部を覆う。
【００２６】
リッドアセンブリ４０は、トップカバー１０の上側中央に配置され、布出入口１０ａを開閉する。リッドアセンブリ４０は、トップカバー１０に回動可能に取り付けられている。リッドアセンブリ４０は、リッド上部パネル４２及びリッド下部パネル４４を備えている。
【００２７】
リッド上部パネル４２は、リッドアセンブリ４０の上側外観を形成する。本実施例では、ガラス材質からなるリッド上部パネル４２を挙げて説明する。ただし、これに限定されず、リッド上部パネル４２は、ガラス部と、該ガラス部の周縁部を支持し、リッド下部パネル４４と結合されるフレーム部と、からなるものであってもよいことは無論である。
【００２８】
リッド下部パネル４４は、リッド上部パネル４２の下部に結合する。リッド下部パネル４４はリッド上部パネル４２の下部周りを支持するようにフレーム形状をしている。
【００２９】
リッドハンドル６０は、図１を参照すると、リッドアセンブリ４０の前面で前方に向かって突出している。リッドハンドル６０は、リッドアセンブリ４０の左右幅方向に長く延びて形成されており、ここて、左、右側から中央側に向かうに従って、前方に向く突出長さが増加するように湾曲して形成されている。そのため、リッドアセンブリ４０の前面全体にリッドハンドル６０が設けられ、使用者の使い勝手が良くなる。
【００３０】
リッドハンドル６０は、図３及び図４を参照すると、リッドアセンブリ４０の上面よりも上方に突出するように形成され、コントロールパネル３０との間に使用者の手が入るように離隔空間Ｓを形成する。
【００３１】
本実施例では、リッドハンドル６０は、リッドアセンブリ４０の上面を基準にして上方に傾斜するように形成されたものを取り上げて説明するが、これに限定されず、コントロールパネル３０との間に離隔空間Ｓを形成できる形状であればいずれも可能であり、例えば、上方に突出してから前方に折れ曲がった形状なども可能である。
【００３２】
また、リッドハンドル６０は、図４を参照すると、断面が変曲点Ａを有する曲線形状になっいる。すなわち、リッドハンドル６０は、第１曲率半径Ｒ１で窪むように形成された第１ラウンド部６０ａと、該第１ラウンド部６０ａから延在し、第２曲率半径Ｒ２で膨らむように形成された第２ラウンド部６０ｂとを有している。第１ラウンド部６０ａと第２ラウンド部６０ｂとが連結された部分が変曲点Ａである。第１ラウンド部６０ａはリッドアセンブリ４０の上面に滑らかにつながるように、第１曲率半径Ｒ１で窪むように形成される。第２ラウンド部６０ａは、使用者の手が入るに充分な離隔空間Ｓを形成するように膨らんで形成される。第１曲率半径Ｒ１と第２曲率半径Ｒ２とは同一の大きさであってもよく、異なった大きさであってもよい。
【００３３】
リッドハンドル６０は、リッドアセンブリ４０と別個の部材で構成され、リッドアセンブリ４０に結合されたものであってもよく、リッドアセンブリ４０の前方から一体に延びて形成されたものであってもよい。本実施例では、リッドハンドル６０がリッドアセンブリ４０に結合して固定されるとして説明する。
【００３４】
リッドハンドル６０は、リッド上部パネル４２とリッド下部パネル４４のうち少なくとも一方に結合して固定される。本実施例では、リッドハンドル６０は、リッド上部パネル４２に挟み込まれ、リッド下部パネル４４にフック結合して 固定される例を挙げて説明する。リッドハンドル６０は、リッド上部パネル４２に挟み込まれる段差部６２と、リッド下部パネル４４にフック結合されるフック結合部６４と、を備えている。
【００３５】
段差部６２は、リッドハンドル６０の第１ラウンド部６０ａの後方で下方に段差を持って形成され、リッド上部パネル４２の前方下部４２ａに挟み込まれる。この段差部６２は、第１ラウンド部６０ａから下方に突出した下方突出部６２ａと、この突出部６２ａから後方に折れ曲がった後方折曲部６２ｂとを有している。後方折曲部６２ｂがリッド上部パネル４２の前方下部４２ａの下側に挟み込まれる。
【００３６】
フック結合部６４は、第１ラウンド部６０ａから下方に突出したリブ６４ａと、リブ６４ａから後方に突出して形成されたフック６４ｂとを有している。フック６４ｂは、リッド下部パネル４４のフックホール４４ｂに結合される。このフックホール４４ｂは、リッド下部パネル４４から上方に突出した結合部４４ａに形成されている。
【００３７】
リッド下部パネル４４には、リブ６４ａの下端が前後方向に係止される係止突部４４ｃが形成されている。
【００３８】
また、図４を参照すると、洗濯機は、離隔空間Ｓに配置され、布出入口１０ａから水分や熱気が外部に漏れることを防止する漏れ防止部４６をさらに備えている。
【００３９】
漏れ防止部４６は、リッド下部パネル４４の下部で離隔空間Ｓに向かって延びているリブである。この漏れ防止部４６は、リッドハンドル６０に比べて、前方に向く突出長さがより短くなっている。トップカバー１０には、漏れ防止部４６の前方端部が着座する顎部１４が形成されている。
【００４０】
上記のように構成された本発明の実施例に係る洗濯機のリッドハンドルの作用を説明すると、下記の通りである。
【００４１】
洗濯機の作動前に布を投入しようとする場合や洗濯が完了して布を取り出そうとする場合に、使用者は、リッドハンドル６０を手に取ってリッドアセンブリ４０を持ち上げたり、リッドハンドル６０下部の離隔空間Ｓに指を入れてリッドハンドル６０を持ち上げたりすればよい。
【００４２】
リッドハンドル６０が前方及び上方に突出した形状となっているため、使用者がッドハンドル６０を手に持って上げたりすることが極めて容易である。また、リッドハンドル６０の第２ラウンド部６０ｂが膨らんで湾曲した形状をしているため、使用者が手に取ったり指を曲げて持ち上げることが非常に容易である。
【００４３】
リッドアセンブリ４０とコントロールパネル３０との間に離隔空間Ｓが形成されているため、使用者が手を入れやすく、この離隔空間Ｓには漏れ防止部４６が配置されているため、洗濯機の作動中に内部の水分や熱気が外部に漏れることも防止することができる。
【００４４】
本発明に係る洗濯物処理機器は、リッドアセンブリの前方に、前方及び上方に突出して形成されたリッドハンドルが設けられており、このリッドハンドルとコントロールパネルとの間に離隔空間が形成されているため、使用者がリッドハンドルを手に持って上げたり、使用者が指を離隔空間に挿入してリッドハンドルを持ち上げたりすることが容易であり、使い勝手のよさを向上することができる。
【００４５】
また、本発明に係るリッドハンドルは、リッドアセンブリの前面に左右幅方向に長く形成されているため、使用者が手に取りやすい他、見栄えも良くすることができる。
【００４６】
また、漏れ防止部が離隔空間に配置されているため、内部の水分や熱気が外部に漏れることを防止することができる。
【００４７】
いくつかの例示的な実施例を参照して実施例を説明してきたが、当然のことながら、本開示の原則の範囲や思想内に含まれる分野における通常の知識を有する者により多数の別の変更及び実施が提案されることが可能である。特に、本開示、図面及び添付した特許請求の範囲内で、構成要素及び／又は対象の組み合わせ構造（ｓｕｂｊｅｃｔ  ｃｏｍｂｉｎａｔｉｏｎ  ａｒｒａｎｇｅｍｅｎｔ）において様々な変形及び変更が可能である。これら構成要素及び／又は構造の変形及び変更に加えて、代案的利用も当業者にとっては明らかであろう。
【図１】
2014083449.tif 000003
【図２】
2014083449.tif 000004
【図３】
2014083449.tif 000005
【図４】
2014083449.tif 000006